(57)【要約】【課題】挿抜可能な拡張カードモジュールを提供する。【解決手段】本開示は、コンピュータ部品に用いられる挿抜可能な拡張カードモジュールを提供する。挿抜可能な拡張カードモジュールは、サーバシステムの前面側又は背面側に位置決めされるように配置されてよい。本開示のある実施例は、少なくとも１つのコンピュータカード、アダプタープレート及び第１のモジュールハウジングを持つ拡張カードモジュールを提供する。【選択図】図１Ａ
2020144832.tif 000002
【特許請求の範囲】
【請求項１】
少なくとも１つのコンピュータカードに用いられる拡張カードモジュールであって、
少なくとも１つのコンピュータカードを収納するように配置されるアダプタープレートと、
前記アダプタープレートを収納するように配置され、少なくとも１つの開口を有する第１の端を含み、前記少なくとも１つの開口が前記少なくとも１つのコンピュータカードの第１の部分を収納するように配置される第１のモジュールハウジングと、
を備える拡張カードモジュール。
【請求項２】
前記アダプタープレートは、更に少なくとも１つの収納素子によって前記少なくとも１つのコンピュータカードを収納するように配置される請求項１に記載の拡張カードモジュール。
【請求項３】
前記アダプタープレートは、外部コンピュータ部品を結合するように配置される少なくとも１つのコネクタ素子を更に含む請求項２に記載の拡張カードモジュール。
【請求項４】
前記拡張カードモジュールは、サーバシステムの前部又は後部に取り付けられるように配置される請求項１に記載の拡張カードモジュール。
【請求項５】
前記拡張カードモジュールは、ＰＣＩｅモジュールである請求項１に記載の拡張カードモジュール。
【請求項６】
拡張カードモジュールを収納するように配置されるサーバシステムであって、
前記サーバシステムの前部の第１の開口内に位置する少なくとも１つの取り外し可能なコンピュータ部品と、
前記サーバシステムの後部の第２の開口内に位置する拡張カードモジュールと、
を備え、
前記拡張カードモジュールは、少なくとも１つのコンピュータカードと、前記少なくとも１つのコンピュータカードを収納するように配置されるアダプタープレートと、前記アダプタープレートを収納するように配置され、少なくとも１つの開口を有する第１の端を含み、前記少なくとも１つの開口が前記少なくとも１つのコンピュータカードの第１の部分を収納するように配置される第１のモジュールハウジングと、を更に含有するサーバシステム。
【請求項７】
前記アダプタープレートは、更に少なくとも１つの収納素子によって前記少なくとも１つのコンピュータカードを収納するように配置される請求項６に記載のサーバシステム。
【請求項８】
前記拡張カードモジュールは、前記サーバシステムの前記前部又は前記後部に取り付けられるように配置される請求項６に記載のサーバシステム。
【請求項９】
前記少なくとも１つの取り外し可能なコンピュータ部品は、拡張モジュールの中に収容される請求項６に記載のサーバシステム。
【請求項１０】
前記拡張モジュールは、第２のモジュールハウジング及びアダプタ素子を含む請求項９に記載のサーバシステム。
【発明の詳細な説明】
【技術分野】
【０００１】
本開示は、サーバシステムに用いられる挿抜可能な拡張カードモジュールに関する。
【背景技術】
【０００２】
サーバ産業の発展と成熟に伴い、サーバシステムの設計がより複雑になり、アーキテクチャにもより多くの変化がある。サーバシステム内の取り付け箇所の形状及びサイズは、選択されたコンピュータカードの形状及びサイズと異なる場合、サーバシステム内の拡張カードモジュールは、異なるサイズのいくつかのコンピュータカードを取り付け箇所に取り付けることを可能にする。例として、拡張カードモジュールは、サーバシステム内の広いスペースに取り付けられるように、小さなカードに構造的な支持を提供することができる。しかしながら、このような拡張カードは、基本的に調整不可能であり、つまり、それらはサーバシステム内の単一の箇所にしか収容されない。従って、ユーザがサーバシステムの特定の側で操作できるようにサーバシステムの向きを変更する必要があると仮定する場合、拡張カードは、操作不能になる。例として、一般的に前面側から操作される拡張カードについては、サーバシステムの向きの変更の原因で背面側から操作する必要があると仮定する場合、従来の拡張カードモジュールは、依然として前面側にあり、背面側に変位することはできない。
【０００３】
サーバシステムの向きに関する考慮及び制限は、拡張カードモジュールに対する要求を高め、つまり拡張カードにより支持されまた拡張カードのサーバシステム内での配置可能な位置は高度な互換性及び適応性を具備しなければならない。しかしながら、従来の拡張カードモジュールは、この適応性を提供していない。
【発明の概要】
【発明が解決しようとする課題】
【０００４】
従って、サーバシステム内の異なる位置に取り付け可能な拡張カードモジュールを提供することを必要とする。
【課題を解決するための手段】
【０００５】
本開示の複数の例は、拡張カードモジュールを指す。拡張カードモジュールは、アダプタープレート及び第１のモジュールハウジングを含んでよい。アダプタープレートは、少なくとも１つのコンピュータカードを収納してよい。第１のモジュールハウジングは、アダプタープレートを収納してよい。第１のモジュールハウジングは、前記少なくとも１つのコンピュータカードの第１の部分を収納してよい少なくとも１つの開口を有する第１の端を含んでよい。ある例において、拡張カードモジュールは、サーバシステムの前部又は後部に取り付けられてよい。
【０００６】
ある例において、アダプタープレートは、少なくとも１つの収納素子によって少なくとも１つのコンピュータカードを収納してよい。ある例において、アダプタープレートは、外部コンピュータ部品を結合してよい少なくとも１つのコネクタ素子を含んでよい。外部コンピュータ部品は、例えば、マザーボード又はサーバシステムであってよい。コネクタ素子は、アダプタープレートの電気的接続によって前記少なくとも１つの収納素子に電気的に接続されてよい。従って、ある例において、前記少なくとも１つの収納素子と少なくとも１つのコネクタ素子は、外部コンピュータ部品とデータ受信及び伝送を行うように少なくとも１つのコンピュータカードを配置してよい。
【０００７】
第１のモジュールハウジングは、第１のモジュールハウジングの第１の端の対向端にある第２の端を含んでよい。ある例において、第２の端は、上記少なくとも１つのコネクタ素子に対応する第２の開口を有してよい。
【０００８】
ある例において、拡張カードモジュールは、ＰＣＩｅモジュールであってよい。
【０００９】
本開示の第２の実施例は、少なくとも１つの取り外し可能なコンピュータ部品及び少なくとも１つの拡張カードモジュールを提供することができる。この少なくとも１つの取り外し可能なコンピュータ部品は、サーバシステムの前部の第１の開口に位置してよい。前記少なくとも１つの拡張カードモジュールは、サーバシステムの後部の第２の開口に位置してよい。この少なくとも１つの拡張カードモジュールは、少なくとも１つのコンピュータカード、アダプタープレート及び第１のモジュールハウジングを含んでよい。第１の実施例を参照されたい。この少なくとも１つの拡張カードモジュールの別の例及び特徴は、以上の通りであってよい。
【００１０】
ある例において、サーバシステムは、第１の配置を提供することができ、上記少なくとも１つの取り外し可能なコンピュータ部品がサーバシステムの前部に位置し、上記少なくとも１つの拡張カードモジュールがサーバシステムの後部に位置する。サーバシステムも、第２の配置を提供することができ、上記少なくとも１つの取り外し可能なコンピュータ部品がサーバシステムの後部に位置し、上記少なくとも１つの拡張カードモジュールがサーバシステムの前部に位置する。
【００１１】
ある例において、上記少なくとも１つのコンピュータ部品と少なくとも１つの拡張カードモジュールは、取り外し可能にサーバシステムで変位するように配置される。
【００１２】
ある例において、上記少なくとも１つの取り外し可能なコンピュータ部品は、第２のモジュールハウジング、アダプタ素子及び上記少なくとも１つの取り外し可能なコンピュータ部品を含んでよい拡張モジュールに収容されてよい。
【００１３】
上記の概要は、本開示の様々な実施例又は各態様を表すことを意図していない。むしろ、前述の概要は、ここに提示されたいくつかの革新的な態様及び特徴の例を単に提供するものである。以下の添付の図面及び添付の特許請求の範囲を参照して、本発明を実施するための代表的な実施形態及びモードの詳細な説明から、本開示の上記の特徴、利点、並びに他の特徴及び利点は明らかになる。
【図面の簡単な説明】
【００１４】
添付の図面は本発明の実施例を例示するものであり、本発明の原則を解釈と共に例示を行う。図面は、例示的な実施形態の主な特徴を図示する。図面は、実際の実施例の各特徴を示すことを意図しておらず、そして描かれている素子の関連する寸法を描くことを意図しておらず、そして図面は一定の縮尺で描かれていない。
【図１Ａ】本発明の一実施例の範例による拡張カードモジュールを示す分解図である。
【図１Ｂ】本発明の一実施例の範例による拡張カードモジュールが搭載配置にある様子を示す。
【図２Ａ】本発明の一実施例によるサーバシステムの前部の取り付けられるファンを示す示範的拡大図である。
【図２Ｂ】本発明の一実施例によるサーバシステムの前部の取り付けられる拡張カードモジュールを示す示範的拡大図である。
【図３Ａ】本発明の複数の実施例によるサーバシステム内の挿抜可能な拡張カードモジュールの示範的搭載配置を示す。
【図３Ｂ】本発明の複数の実施例によるサーバシステム内の挿抜可能な拡張カードモジュールの示範的搭載配置を示す。
【図４Ａ】本発明の複数の実施例によるサーバシステムの後部の示範的搭載配置を示す拡大図である。
【図４Ｂ】本発明の複数の実施例によるサーバシステムの後部の示範的搭載配置を示す拡大図である。
【図５Ａ】本発明の一実施例による示範的コンピュータ部品拡張モジュールを示す分解図である。
【図５Ｂ】本発明の一実施例によるコンピュータ部品拡張モジュールの示範的搭載配置を示す。
【発明を実施するための形態】
【００１５】
本発明を添付図面に合わせて説明するが、全ての図面において同一の参照番号を使用して類似又は等しい素子を指定する。図面は、比例して描かれたものではなく、単に本発明を例示するために提供される。以下、例示される示範的な適用を参照して、本発明のある態様を説明する。注意すべきなのは、以下、本発明を全面的に理解させるために、数多くの具体的な細部、関係及び方法を述べる。しかしながら、当業者であれば、一つ又は複数の具体的な細部がなくても又は他の方法を使用しても本発明を実施することもできることは、容易に見分ける。他の例において、本発明を不明確にしないように、周知の構造や操作は詳しく示されていない。本発明は、示された動作や事件の順序に制限されず、ある動作が異なる順序で発生し及び／又は他の動作や事件と同時に発生してもよい。また、本発明による方法を実施するために、示された全ての動作や事件も必要とされるわけではない。
【００１６】
本開示は、少なくとも１つのコンピュータ部品に用いられる挿抜可能な拡張カードモジュールを提供する。挿抜可能な拡張カードモジュールは、サーバシステムに必要な設計に応じて、サーバシステムの前部及び後部の両方に取り付けられてよい。本開示のある例において、挿抜可能な拡張カードモジュールは、コンピュータシステムにおける別のコンピュータ部品（例えば、ファンモジュール）と取り外し可能に交換（ｅｘｃｈａｎｇｅ）される。ある例において、前記コンピュータ部品は、前記コンピュータ部品のサイズが挿抜可能な拡張カードモジュールのサイズと一致するように、モジュールハウジングを有してもよい。本開示のある例において、挿抜可能な拡張カードモジュールは、ＰＣＩｅ（ＰＣＩ  Ｅｘｐｒｅｓｓ）モジュールであってよい。
【００１７】
従って、本開示の提供するサーバシステムの部品は、高度な互換性及び適応性を持ち、サーバシステム内の複数の位置に置かれることができる。これは、サーバ作業の増加による要求を解決して、ユーザがサーバシステムの向きに基づいて、サーバシステムの如何なる一端で拡張カードに対して操作することができる。
【００１８】
図１Ａは、本発明の一実施例による示範的拡張カードモジュール１００Ａを示す分解図である。拡張カードモジュール１００Ａは、少なくとも１つのコンピュータカード１１０、アダプタープレート１２０及び第１のモジュールハウジング１３０を含んでよい。図１Ｂは、本発明の一実施例による示範的拡張カードモジュール１００Ａの搭載配置１００Ｂを示す。以下、拡張カードモジュール１００Ａと搭載配置１００Ｂの複数の特徴を更に検討する。
【００１９】
この少なくとも１つのコンピュータカード１１０は、例えば、ＰＣＩｅカードのような、サーバシステム内に配置され取り付けられる如何なるコンピュータ部品であってよい。アダプタープレート１２０は、少なくとも１つの収納素子１２２によって少なくとも１つのコンピュータカード１１０を収納してよい。アダプタープレート１２０は、対応する複数のコンピュータカード１１０ａ、１１０ｂ、１１０ｃ、１１０ｄを収納するように、複数の収納素子１２２ａ、１２２ｂ、１２２ｃ、１２２ｄを有してよい。各収納素子１２２ａ、１２２ｂ、１２２ｃ、１２２ｄは、少なくとも１つのコンピュータカード１１０がアダプタープレート１２０によってデータを受送することができるように、対応するコンピュータカード１１０ａ、１１０ｂ、１１０ｃ、１１０ｄを機械的にまた電気的に結合してよい。アダプタープレート１２０は、外部コンピュータ部品（図２Ｂに示す）に機械的にまた電気的に結合されるように、少なくとも１つのコネクタ素子１２１を更に含んでよい。少なくとも１つのコネクタ素子１２１は、外部コンピュータ部品にデータを受送するように、通信通路をアダプタープレート１２０に提供する。従って、搭載配置１００Ｂにおいて、コンピュータカード１１０、少なくとも１つの収納素子１２２、少なくとも１つのコネクタ素子１２１及び外部コンピュータ部品の間の電気的接続によって、少なくとも１つのコンピュータカード１１０と外部コンピュータ部品とを通信させることができる。
【００２０】
第１のモジュールハウジング１３０は、構造的な支持を少なくとも１つのコンピュータカード１１０及びアダプタープレート１２０に提供する。第１のモジュールハウジング１３０は、第１の端１３１と第２の端１３２を有してよい。第１の端１３１は、少なくとも１つの開口１３３を有してよい。例として、第１のモジュールハウジング１３０は、対応する複数のコンピュータカード１１０ａ、１１０ｂ、１１０ｃ、１１０ｄの端部を収納するように、複数の開口１３３ａ、１３３ｂ、１３３ｃ、１３３ｄを有してよい。これらの開口１３３ａ、１３３ｂ、１３３ｃ、１３３ｄによって、導線をコンピュータカード１１０ａ、１１０ｂ、１１０ｃ、１１０ｄに接続させることができる。開口１３３ａ、１３３ｂ、１３３ｃ、１３３ｄは、ＰＣＩｅブラケット（ｂｒａｃｋｅｔ）、他の入力／出力モジュール、又は他のタイプの拡張カードを収納してもよい。
【００２１】
第２の端１３２は、第１のモジュールハウジング１３０の第１の端１３１の対向端であってよく、少なくとも１つのコネクタ素子１２１に対応する第２の開口を有してよい。拡張カードモジュールの搭載配置１００Ｂがサーバシステムに取り付けられる場合、少なくとも１つのコネクタ素子１２１は、外部コンピュータ部品を収納するように配置されてよく、且つ第１のモジュールハウジング１３０の第１の端１３１はユーザによって操作されてよい。
【００２２】
図２Ａは、本発明の一実施例によるサーバシステム２００の前部の示範的な第１の配置２００Ａを示す。第１の配置２００Ａは、サーバシステム２００のバックプレーン２２０に取り付けられる複数のファンモジュール２１０ａ、２１０ｂ、２１０ｃ、２１０ｄを提供することができる。示範的なファンモジュール２１０ａは、ミッドプレーン（ｍｉｄｐｌａｎｅ）２２２のコネクタ位置でバックプレーン２２０に接続されてよい。第１の配置２００Ａによると、ファンモジュール２１０ａ、２１０ｂ、２１０ｃ、２１０ｄが直接ミッドプレーン２２２に挿設されてよい。
【００２３】
図２Ｂは、本発明の一実施例によるサーバシステム２００の前部の示範的な第２の配置２００Ｂである。第２の配置２００Ｂは、図１Ａ〜図２Ａの複数の部品及び符号が図１Ａ〜図２Ａの部品に似している部品を含んでよい。第２の配置２００Ｂによると、拡張カードモジュールの搭載配置１００Ｂがファンモジュール２１０ａを取り替えるようになる。ファンモジュール２１０ａがミッドプレーン２２２に接続されるので、拡張カードモジュールの搭載配置１００Ｂは、マザーボード２３０によって収納（ｒｅｃｅｉｖｅｄ）されてよい。従って、第２の配置２００Ｂのように取り付けられる場合、拡張カードモジュールの搭載配置１００Ｂは、コンピュータカード１１０ａ、１１０ｂ、１１０ｃ、及び１１０ｄとマザーボード２３０との間に直接的通信を提供する。
【００２４】
図２Ａと図２Ｂは、バックプレーン２２０が本開示の目的のために変更される必要がないことを更に示し、これは交換プログラムがプリント基板の如何なる変更とも無関係であるためである。逆に、ファンモジュール２１０と拡張カードモジュールの搭載配置１００Ｂは、異なる位置に接続される（それぞれバックプレーン２２０とマザーボード２３０に接続される）。
【００２５】
図３Ａと図３Ｂは、本開示の複数の実施例によるサーバシステム内の挿抜可能な拡張カードモジュールの示範的搭載配置を示す。図３Ａと図３Ｂは、複数の図１Ａ〜図２Ｂにおける部品及び符号が図１Ａ〜図２Ｂの部品に類似である部品を含む。図３Ａと図３Ｂにも、サーバの背面側３１０、サーバの前面側３２０、少なくとも１つの開口３３０、第１の配置３００Ａ（図３Ａ）、及び第２の配置３００Ｂ（図３Ｂ）を示す。
【００２６】
第１の配置３００Ａにおいて、ファンモジュール２１０ａと２１０ｃは、それぞれサーバシステム２００の前面側３２０の開口３３０ｂと３３０ａに取り付けられてよい。複数の拡張カードモジュールの搭載配置１００Ｂは、サーバシステム２００の背面側３１０（また図４Ａを参照されたい）に取り付けられてよい。従って、図３Ａから分かるように、本開示は、コンピュータカード１１０をサーバシステム２００の背面側３１０からアクセスすることができるように、従来と同じ配置でコンピュータカード１１０とファンモジュール２１０が取り付けられるサーバシステム２００であってよい。
【００２７】
第２の配置３００Ｂにおいて、ファンモジュール２１０ａと２１０ｃは、サーバシステム２００の背面側３１０（また図４Ｂを参照されたい）に取り付けられてよい。拡張カードモジュールの搭載配置１００Ｂは、サーバシステム２００の前面側３２０の開口３３０ａと３３０ｂの中に取り付けられてよい。従って、図３Ｂから分かるように、拡張カードモジュールの搭載配置１００Ｂは、サーバシステム２００の前面側３２０の開口に収容されてよいが、これらの開口は、他のコンピュータ部品（例えば、ファンモジュール２１０ａと２１０ｃ）の通常の設けられる箇所である。第２の配置３００Ｂは、本開示の一実施例による拡張カードモジュールの搭載配置１００Ｂの多様性を示す。
【００２８】
図３Ａと図３Ｂに、２つの拡張カードモジュールの搭載配置１００Ｂと２つのファンモジュール２１０ａ及び２１０ｃの位置を交換することを示すが、本開示において、如何なる数の搭載配置１００Ｂとサーバシステム２００内の如何なる数のファンモジュール２１０とを位置交換させてもよい。
【００２９】
また、図３Ａと図３Ｂに搭載配置１００Ｂとファンモジュール２１０の交換配置場所を例示するが、本開示は、如何なるサーバシステム２００の前面側３２０におけるコンピュータ部品と変位可能な搭載配置１００Ｂを含んでよい。示範的なコンピュータ部品は、高度と幅がファンモジュールの高度と幅以下の如何なる部品を含んでよい。例えば、ハードディスクモジュール、ソリッドステートディスクモジュール、及び入力／出力ポートモジュールを含む。ある例において、第１のモジュールハウジング１３０のサイズは、拡張カードモジュールの搭載配置１００Ｂが配置しようとする開口３３０のサイズによるものであって良い。
【００３０】
図４Ａと図４Ｂは、本開示の複数の実施例によるサーバシステムの後部の示範的な搭載配置を示す拡大図である。図４Ａと図４Ｂは、複数の図１Ａ〜図３Ｂにおける部品及び符号が図１Ａ〜図３Ｂにおける部品に類似である部品を含む。図４Ａと図４Ｂにも、第１の背面側の搭載配置４００Ａ、第２の背面側の搭載配置４００Ｂ、第１の開口４１０ａ及び第２の開口４１０ｂを示す。
【００３１】
図４Ａは、図３Ａの第１の配置３００Ａに対応する第１の背面側の搭載配置４００Ａを表す。また図４Ａを参照されたい。第１の背面側の搭載配置４００Ａは、拡張カードモジュールの搭載配置１００Ｂが如何に開口４１０ａと４１０ｂに収容されるかを示す。これらの開口４１０ａと４１０ｂは、如何なるコンピュータ部品を収納するように配置される空間であってよい。図４Ｂは、図３Ｂの第２の配置３００Ｂに対応する第２の背面側の搭載配置４００Ｂを表す。また図４Ｂを参照されたい。第２の背面側の搭載配置４００Ｂは、ファンモジュール２１０ａと２１０ｃが如何にそれぞれ開口４１０ａと４１０ｂに収容されるかを示す。図４Ａと図４Ｂは、ファンモジュール２１０ａと２１０ｃが拡張カードモジュールの搭載配置１００Ｂの収容される開口４１０ａと４１０ｂに収容されることができることを示す。
【００３２】
従って、図３Ａ〜図４Ａは、本開示の一実施例による挿抜可能な拡張カードモジュール１００Ｂを表す。挿抜可能な拡張カードモジュール１００Ｂによって、コンピュータカード１１０がサーバシステム２００の他のコンピュータ部品（例えば、ファンモジュール２１０）と取り外し可能に変位することができる。
【００３３】
また、本開示は、挿抜可能な拡張カードモジュールを含んでよい搭載配置１００Ｂは、サーバシステム２００の前記他のコンピュータ部品（例えば、ファンモジュール２１０）と異なるサイズを有してよい。これにより、本開示は、前記他のコンピュータ部品を収容できる拡張モジュールを提供することで、拡張モジュールが拡張カードモジュールの搭載配置１００Ｂと類似であるサイズを有する。図５Ａと図５Ｂによって、示範的な拡張モジュールの複数の特徴を更に検討する。
【００３４】
図５Ａは、本開示の一実施例による示範的なコンピュータ部品拡張モジュール５００Ａを示す分解図である。拡張モジュール５００Ａは、第２のモジュールハウジング５１０、アダプタ素子５２０及び少なくとも１つのコンピュータ部品５３０を含んでよい。図５Ｂは、本開示の一実施例によるコンピュータ部品拡張モジュール５００Ａの搭載配置５００Ｂを示す。
【００３５】
第２のモジュールハウジング５１０は、少なくとも１つのコンピュータ部品５３０を収納するように構造的な支持を提供することができる。第２のモジュールハウジング５１０は、サイズが図１Ａの拡張カードモジュール１００Ａの第１のモジュールハウジング１３０と類似である。また図５Ａを参照されたい。第２のモジュールハウジング５１０は、第２のモジュールハウジング５１０に付く第１の端５１２のアダプタ素子５２０を有してよい。第２のモジュールハウジング５１０は、少なくとも１つの開口５１６を有する第２の端５１４を具備してよい。この少なくとも１つの開口５１６は、空間によってコンピュータ部品５３０を操作するように、少なくとも１つのコンピュータ部品５３０の端部５３２に空間を提供することができる。例として、ファンの吸気部又は排気部は、この少なくとも１つの開口５１６によって吸気し又は排気することができる。
【００３６】
アダプタ素子５２０は、拡張板コネクタとしてマザーボード及びファンモジュールを接続することができる。ある例において、アダプタ素子５２０は、ファンの深さが拡張モジュール５００Ａよりも小さい場所に用いられることができる。アダプタ素子５２０も、ファン及び／又は電源コネクタのフィードバック信号を収納するように、信号コネクタであってよい。
【００３７】
ある例において、少なくとも１つのコンピュータ部品５３０は、上記の図２Ａ〜図４Ｂに検討されるように、ファンモジュール２１０であってよい。本開示は、別に少なくとも１つのコンピュータ部品を含んでよく、サーバシステムの如何なる取り外し可能なコンピュータ部品であってよい。
【００３８】
従って、搭載配置５００Ｂは、図２Ａ〜図４Ｂにより検討される示範的サーバシステム２００に取り付けられてよい。少なくとも１つのコンピュータ部品の長さが拡張カードモジュール１００Ａよりも小さい場合、拡張モジュール５００Ａを使用することができる。従って、本開示の一実施例によれば、このような拡張モジュール５００Ａは、サーバシステム内のより多くのコンピュータ部品を拡張カードモジュール１００Ａと変位させることができる。
【００３９】
以上、本発明の複数の実施例について詳細に説明したが、それらは例示にすぎず、限定ではないことを理解されたい。本発明の精神又は範囲から逸脱しない限り、本明細書の開示に基づいて、開示された例に多くの変更を加えることができる。従って、本発明の幅及び範囲は、上記の例のいずれによっても制限されるべきではない。反対に、本発明の範囲は、以下の特許請求の範囲及びその等価物によって定義されるべきである。
【００４０】
本発明は、１つ又は複数の実施態様により例示及び説明されるが、本明細書及び図面を読んで理解すると、同等の変更及び修正が当業者には想到し得ることである。また、本発明の特定の特徴がいくつかの実施態様のうちの1つにより開示されるが、この特徴は、如何なる所与の適用又は特定の適用に望ましい又は有益であることのような他の実施態様の1つ又は複数の他の特徴と組み合わせることができる。
【００４１】
本文に用いる用語は、特定な例を説明するためのものであるが、限定する意図ではない。本文に用いるものであれば、上下文で特に明確に指定されない限り、単数形の「一つ（ａ）／（ａｎ）」又は「前記（ｔｈｅ）」は、複数形を含むことを意図する。また、実施形態及び／又は特許請求の範囲に用いる用語「備える（ｉｎｃｌｕｄｉｎｇ）」、「含む（ｉｎｃｌｕｄｅｓ）」、「具備する（ｈａｖｉｎｇ）」、「有する（ｈａｓ）」、「と（ｗｉｔｈ）」、又はその変形について言えば、これらの用語は、「含む（ｃｏｍｐｒｉｓｉｎｇ）」に類似な用語の意味を表現する意図がある。
【００４２】
別に定義されない限り、本文に使用する全ての用語（技術及び科学用語を含む）は、当業者が一般的に理解する意味を有する。また、一般的に使用される辞書のように定義される用語は、関連分野の上下文での意味と一致の意味を有する形態で解釈されるべきであり、且つ特に明確に定義されない限り、理想化又は正式すぎる意味で解釈されるべきではない。
【符号の説明】
【００４３】
１００Ａ：拡張カードモジュール
１００Ｂ、５００Ｂ：搭載配置
１１０、１１０ａ、１１０ｂ、１１０ｃ、１１０ｄ：コンピュータカード
１２０：アダプタープレート
１２１：コネクタ素子
１２２、１２２ａ、１２２ｂ、１２２ｃ、１２２ｄ：収納素子
１３０：第１のモジュールハウジング
１３１、５１２：第１の端
１３２、５１４：第２の端
１３３、１３３ａ、１３３ｂ、１３３ｃ、１３３ｄ、３３０、３３０ａ  、３３０ｂ、５１６：開口
２００：サーバシステム
２００Ａ、３００Ａ：第１の配置
２００Ｂ、３００Ｂ：第２の配置
２１０、２１０ａ、２１０ｂ、２１０ｃ、２１０ｄ：ファンモジュール
２２０：バックプレーン
２２２：ミッドプレーン
２３０：マザーボード
３１０：サーバの背面側
３２０：サーバの前面側
４００Ａ：第１の背面側の搭載配置
４００Ｂ：第２の背面側の搭載配置
４１０ａ：第１の開口
４１０ｂ：第２の開口
５００Ａ：拡張モジュール
５１０：第２のモジュールハウジング
５２０：アダプタ素子
５３０：コンピュータ部品
５３２：端部
【図１Ａ】
2020144832.tif 000003
【図１Ｂ】
2020144832.tif 000004
【図２Ａ】
2020144832.tif 000005
【図２Ｂ】
2020144832.tif 000006
【図３Ａ】
2020144832.tif 000007
【図３Ｂ】
2020144832.tif 000008
【図４Ａ】
2020144832.tif 000009
【図４Ｂ】
2020144832.tif 000010
【図５Ａ】
2020144832.tif 000011
【図５Ｂ】
2020144832.tif 000012